(57)【要約】      （修正有）【課題】コイル層がコロイド層中に埋設されて突出せず、実用性に優れた無線充電可能なマウスパッド構造を提供する。【解決手段】無線充電可能なマウスパッド構造は、土台１０を含み、土台上に第１布層２０が設けられ、第１コロイド層により第１布層は土台上に結合され、コイル層４０は第１コロイド層上に圧接される。第２布層６０上に第２コロイド層が設けられ、第２コロイド層の一面はコイル層上に重ねられる。熱圧接を行い、コイル層を互いに融合する第１コロイド層および第２コロイド層中に嵌設させ、これにより無線充電可能なマウスパッドが完成する。【選択図】図３Ｂ
0003222695.tif 000002
【実用新案登録請求の範囲】
【請求項１】
無線充電可能なマウスパッド構造であって、
土台と；
該土台上に設けられる第１布層と；
該第１布層上に設けられるコロイド層と；
該コロイド層中に設けられるコイル層と；
該コロイド層上に設けられる第２布層と；を含む構造。
【請求項２】
該コロイド層は第１コロイド層および第２コロイド層を含み、該コイル層は熱圧接すると、互いに融合する該第１コロイド層および該第２コロイド層中に嵌設される、請求項１に記載の無線充電可能なマウスパッド構造。
【請求項３】
該第１コロイド層は０．３ｍｍ；該第２コロイド層は０．４ｍｍである、請求項１に記載の無線充電可能なマウスパッド構造。
【請求項４】
接続モジュールをさらに含み、該接続モジュールは、該コイル層と電気的に接続する回路基板と、該回路基板を結合するコネクタとを含む、請求項１に記載の無線充電可能なマウスパッド構造。
【請求項５】
該第１布層および該第２布層はそれぞれ不織布からなる、請求項１に記載の無線充電可能なマウスパッド構造。
【請求項６】
隔離層をさらに含み、該隔離層は該第２布層および該コロイド層の間に設けられる、請求項１に記載の無線充電可能なマウスパッド構造。
【考案の詳細な説明】
【技術分野】
【０００１】
本考案はマウスパッド構造に関し、特に無線充電可能なマウスパッド構造を指す。
【背景技術】
【０００２】
パソコンの周辺機器において、マウスパッドは不可欠な用品である。マウスをマウスパッド上で正確に移動させることができ、さらにはカーソルを正確に移動させるため、使用者がマウスで各コマンドの入力を行うのに便利である。
【０００３】
さらに、無線マウスは使用者が操作する上で極めて大きな利便性を提供するため、現在、市場にはすでに無線充電可能なマウスパッドおよびマウスの組合せが出現している。
しかしながら、既存の無線充電マウスパッド構造は、無線充電モジュールをマウスパッド上に重ねて設けており、その充電面は使用表面から突出し、マウスパッドの表面が平らでなく、マウスを移動させるときの障害となる。したがって、改良が待たれる。
【０００４】
このことを考慮し、本考案者は上記目的を達成するため、鋭意研究を行い、さらに学理的な利用を組み合わせて、最終的に設計が合理的で上記欠点を効果的に改善した本考案を出願する。
【考案の概要】
【考案が解決しようとする課題】
【０００５】
本考案の目的は、無線充電可能なマウスパッド構造を提供することにある。コイル層はコロイド層中に埋設され、第２布層から突出せず、これにより実用性に優れたマウスパッド構造を提供する。
【課題を解決するための手段】
【０００６】
上記目的を達成するため、本考案の無線充電可能なマウスパッド構造は、土台、第１布層、コロイド層、コイル層、および第２布層を含む。第１布層は土台上に設けられ；コロイド層は第１布層上に設けられる。コイル層は第１コロイド層中に設けられ；第２布層は第２コロイド層上に設けられる。
【０００７】
既知のものと比較して、本考案の無線充電可能なマウスパッドは、下から上に順番に土台、第１布層、第１コロイド層、コイル層、第２コロイド層および第２布層が設けられる。コイル層は互いに融合した第１コロイド層および第２コロイド層中に埋設され、第２布層から突出せず、マウスパッドの表面を平らにする。マウスの移動に都合がよく、本考案の実用性を高める。
【図面の簡単な説明】
【０００８】
【図１】図１は、本考案の無線充電可能なマウスパッド構造の上面概要図である。
【図２】図２は、本考案の無線充電可能なマウスパッド構造の断面分解概要図である。
【図３Ａ】図３Ａは、本考案の無線充電可能なマウスパッドにおける製造工程の概要図である。
【図３Ｂ】図３Ｂは、本考案の無線充電可能なマウスパッドにおける製造工程の概要図である。
【図４】図４は、本考案の無線充電可能なマウスパッド構造におけるもう１つの実施形態である。
【考案を実施するための形態】
【０００９】
本考案に関する詳細な説明および技術内容について、図を組み合わせて以下のように説明する。しかしながら、添付する図は参考および説明用に提供したに過ぎず、本考案を制限するものではない。
【００１０】
図１および図２を参照されたい。図１および図２は、それぞれ本考案の無線充電可能なマウスパッド構造の上面概要図および断面分解概要図である。本考案の無線充電可能なマウスパッド構造１は、下から上に順番に設けられる土台１０、第１布層２０、第１コロイド層３０、コイル層４０、第２コロイド層５０および第２布層６０を含み、これにより無線充電可能なマウスパッド構造１を構成する。該無線充電可能なマウスパッド構造１をより詳細に以下のように記載する。
【００１１】
該土台１０は、好ましくはゴムまたはプラスチックからなり、無線充電可能なマウスパッド構造１のベースとする。また、該第１布層２０は該土台１０上に設けられ、該第１布層２０は結合用の布層である。該第１コロイド層３０は該第１布層２０上に設けられ、該第１布層２０を介して該土台１０上に結合される。
【００１２】
さらに、該コイル層４０は該第１コロイド層３０上に設けられる。該コイル層４０は、複数の無線充電の誘導コイルを含んでなる。このほか、該第２コロイド層５０は該コイル層４０上に設けられ、第２布層６０は該第２コロイド層５０上に設けられる。これにより、該コイル層４０は熱圧接すると、互いに融合する該第１コロイド層３０および該第２コロイド層５０中に嵌設される。説明する必要があることとして、該第２布層６０は使用布層であり、マウスをこの上で移動させる。
【００１３】
他に説明する必要があることとして、該第１コロイド層３０および該第２コロイド層５０を、比較的厚い単一のコロイド層３０’とすることができる。また、該コロイド層３０’を加熱すると、該コイル層４０をこの中に埋め込むことができる。
【００１４】
図１に示すように、本考案の一実施例において、無線充電可能なマウスパッド構造１は接続モジュール７０をさらに含む。該接続モジュール７０は、該コイル層４０と電気的に接続する回路基板７１と、該回路基板７１を結合するコネクタ７２とを含む。該コネクタ７２は、外部電源との接続下で、該回路基板７１および該コイル層４０に電力を供給する。
【００１５】
具体的に、該第１コロイド層３０は、好ましくは０．３ｍｍであり；該第２コロイド層５０は、好ましくは０．４ｍｍである。他に、該第１布層２０および該第２布層６０はそれぞれ不織布からなる。
【００１６】
本考案の無線充電可能なマウスパッド構造１は、上記構造設置により、該コイル層４０を互いに融合する該第１コロイド層３０および該第２コロイド層５０中に埋設することができ、該第２布層６０から突出しない。
【００１７】
続けて図３Ａおよび図３Ｂを参照されたい。図３Ａおよび図３Ｂは、本考案の無線充電可能なマウスパッド構造における製造工程の概要図である。図に示すように、本考案の無線充電可能なマウスパッド構造の製造工程は下記の通りである。まず、土台１０を提供し、該土台１０上に第１布層２０を設け、第１コロイド層３０により該第１布層２０を該土台１０上に結合する。続いて、コイル層４０を提供する。該コイル層４０を該第１コロイド層３０上に圧接し、下側の半製品が形成される。
【００１８】
一方で、第２布層６０を提供する。該第２布層６０上に第２コロイド層５０を設け、上側の半製品が形成される。
【００１９】
続けて、該第２コロイド層５０の一面を用いて、該上側の半製品を該下側の半製品のコイル層４０上に重ねる。最後に、重ねた後の該上側の半製品および該下側の半製品を熱圧接し、該コイル層４０を互いに融合する該第１コロイド層３０および該第２コロイド層５０中に嵌設させる。これにより、該コイル層４０は互いに融合する該第１コロイド層３０および該第２コロイド層５０中に埋設され、第２布層６０から突出しない。
【００２０】
説明する必要があることとして、該第１コロイド層３０および該第２コロイド５０を比較的厚い単一のコロイド層３０’とするとき、該コロイド層３０’を加熱することにより、該コイル層４０を該コロイド層３０’中に埋め込むことができる。また、実際に実施するとき、該コイル層４０が該コロイド層３０’に沈む状況を判断して、加熱温度を調整し、これにより該コイル層４０を該コロイド層３０’中に完全に埋め込ませる。
【００２１】
他に説明する必要があることとして、本考案の無線充電可能なマウスパッド構造１において、該第２布層６０の厚さが比較的薄い場合、使用における質感は比較的緻密であるが、摩擦力は低い。このほか、該第２コロイド層５０は該第２布層６０に容易に逆浸透し、使用表面を損傷させる。
【００２２】
図４には、本考案の無線充電可能なマウスパッド構造１におけるもう１つの実施形態を示す。前記状況下で、無線充電可能なマウスパッド構造１に、他に隔離層８０を設けることができ、該隔離層８０をポリウレタン層（Ｐｏｌｙｕｒｅｔｈａｎｅ、ＰＵ）またはアクリル層とすることができる。該隔離層８０は、該第２布層６０および該第２コロイド層５０の間に設けられる。また、その製造工程は、該隔離層８０を該第２布層６０上に設けてから、該第２コロイド層５０を設ける。
【００２３】
以上の記載は本考案の好ましい実施例に過ぎず、本考案の実用新案登録請求の範囲を限定しない。本考案の主旨を利用したその他の同等の変更は、いずれも本考案の実用新案登録請求の範囲に属するべきである。
【符号の説明】
【００２４】
１  無線充電可能なマウスパッド構造
１０  土台
２０  第１布層
３０  第１コロイド層
３０’  コロイド層
４０  コイル層
５０  第２コロイド層
６０  第２布層
７０  接続モジュール
７１  回路基板
７２  コネクタ
８０  隔離層
【図１】
0003222695.tif 000003
【図２】
0003222695.tif 000004
【図３Ａ】
0003222695.tif 000005
【図３Ｂ】
0003222695.tif 000006
【図４】
0003222695.tif 000007
【手続補正書】
【提出日】令和1年6月26日(2019.6.26)
【手続補正１】
【補正対象書類名】実用新案登録請求の範囲
【補正対象項目名】全文
【補正方法】変更
【補正の内容】
【実用新案登録請求の範囲】
【請求項１】
無線充電可能なマウスパッド構造であって、
土台と；
該土台上に設けられる第１布層と；
該第１布層上に設けられるコロイド層と；
該コロイド層中に設けられるコイル層と；
該コロイド層上に設けられる第２布層と；を含む構造。
【請求項２】
該コロイド層は第１コロイド層および第２コロイド層を含み、該コイル層は熱圧接すると、互いに融合する該第１コロイド層および該第２コロイド層中に嵌設される、請求項１に記載の無線充電可能なマウスパッド構造。
【請求項３】
該第１コロイド層は０．３ｍｍ；該第２コロイド層は０．４ｍｍである、請求項２に記載の無線充電可能なマウスパッド構造。
【請求項４】
接続モジュールをさらに含み、該接続モジュールは、該コイル層と電気的に接続する回路基板と、該回路基板を結合するコネクタとを含む、請求項１に記載の無線充電可能なマウスパッド構造。
【請求項５】
該第１布層および該第２布層はそれぞれ不織布からなる、請求項１に記載の無線充電可能なマウスパッド構造。
【請求項６】
隔離層をさらに含み、該隔離層は該第２布層および該コロイド層の間に設けられる、請求項１に記載の無線充電可能なマウスパッド構造。